(57)【要約】【課題】  ガラスマットを安定して１枚ずつ供給することができる鉛蓄電池用ガラスマット供給装置を得る。【解決手段】  多数枚のガラスマット１を上下方向に積層したガラスマットストッカ２と、このストッカ２の下部に配置して前後方向の往復運動をしてその前進運動時に最下層のガラスマット１をストッカ２から供給方向に運び出すスライダ３と、ストッカ２のガラスマット供給側に隣接して配置したゲート４とを備えている。スライダ３の上面には、ガラスマット１の供給方向に傾けて稙毛した植毛層５をストッカ２中の最下層のガラスマット１の下面に接触するように固定する。ゲート４にはガラスマット１の供給方向とは逆方向に回転するゲートローラ６を配置する。ゲートローラ６の周面には、ガラスマット１の供給方向と逆方向に傾けて植毛した植毛層７を固定する。ゲートローラ６はその周面の植毛層７の表面がガラスマット１の上面に接触するように配置する。【選択図】    図１
2005276553.tif 000002
【特許請求の範囲】
【請求項１】
多数枚のガラスマットを上下方向に積層したガラスマットストッカと、該ストッカの下部に配置されて前後方向の往復運動をしてその前進運動時に最下層の前記ガラスマットを前記ストッカから供給方向に運び出すスライダと、前記ストッカのガラスマット供給側に隣接して配置されたゲートとを備えた鉛蓄電池用ガラスマット供給装置において、
前記スライダはその上面に前記ガラスマットの供給方向に傾けて稙毛された植毛層が前記ストッカ中の最下層の前記ガラスマットの下面に接触するように固定され、
前記ゲートには前記ガラスマットの供給方向とは逆方向に回転するゲートローラが配置され、前記ゲートローラの周面には前記ガラスマットの供給方向と逆方向に傾けて植毛された植毛層が固定され、前記ゲートローラはその周面の前記植毛層の表面が前記ガラスマットの上面に接触するように配置されていることを特徴とする鉛蓄電池用ガラスマット供給装置。
【請求項２】
多数枚のガラスマットを上下方向に積層したガラスマットストッカと、該ストッカの下部に配置されて前後方向の往復運動をしてその前進運動時に最下層の前記ガラスマットを前記ストッカから供給方向に運び出すスライダと、前記ストッカのガラスマット供給側に隣接して配置されたゲートとを備えた鉛蓄電池用ガラスマット供給装置を用いてガラスマットを供給する鉛蓄電池用ガラスマット供給方法において、
前記鉛蓄電池用ガラスマット供給装置は、前記スライダの上面に前記ガラスマットの供給方向に傾けて稙毛された植毛層が前記ストッカ中の最下層の前記ガラスマットの下面に接触するように固定され、前記ゲートには前記ガラスマットの供給方向とは逆方向に回転するゲートローラが配置され、前記ゲートローラの周面には前記ガラスマットの供給方向と逆方向に傾けて植毛された植毛層が固定され、前記ゲートローラはその周面の前記植毛層の表面が前記ガラスマットの上面に接触するように配置された構成になっており、
前記ゲートローラを所定のトルクで前記ガラスマットの供給方向と逆方向に回転し、前記トルクを前記スライダの前進運動時の前記ガラスマットと前記ゲートローラの摩擦力より小さく設定して前記ガラスマットの供給を行うことを特徴とする鉛蓄電池用ガラスマットの供給方法。
【発明の詳細な説明】
【技術分野】
【０００１】
本発明は、鉛蓄電池用ガラスマット供給装置及びこの装置を用いた鉛蓄電池用ガラスマット供給方法に関するものである。
【背景技術】
【０００２】
従来の鉛蓄電池用ガラスマット供給装置は、図５に示すように、多数枚のガラスマット１を上下方向に積層したガラスマットストッカ２と、該ストッカ２の下部に配置されて前後方向の往復運動をしてその前進運動時に最下層のガラスマット１をストッカ２から供給方向に運び出すスライダ３と、ストッカ２のガラスマット供給側に隣接して配置されたゲート４とを備えた構造であった（例えば、特許文献１参照。）。
【０００３】
この場合、スライダ３は、その先端側の上面にガラスマット１を嵌める段部付き凹部３ａを備え、この段部付き凹部３ａ内に最下層のガラスマット１を嵌めてスライドするようになっている。図において、矢印Ｘ１はスライダ３の往復運動方向、Ｘ２はガラスマット１の供給方向である。
【０００４】
このような鉛蓄電池用ガラスマット供給装置は、スライダ３の前進運動時に最下層のガラスマット１をゲート４に通し、ガラスマット１を１枚ずつ供給するように動作する。
【特許文献１】特公平６−５４６８５号公報
【発明の開示】
【発明が解決しようとする課題】
【０００５】
しかしながら、このような鉛蓄電池用ガラスマット供給装置では、ゲート４の開口の高さにより、図６（Ａ）に示すようケート４の開口が高か過ぎると２枚等の複数枚のガラスマット１がゲート４を通過してしまい、図６（Ｂ）に示すようケート４の開口が低く過ぎると１枚のガラスマット１もゲート４を通過できなくなる等の不具合が発生する問題点があっナニ。
本発明の目的は、ガラスマットを安定して１枚ずつ供給することができる鉛蓄電池用ガラスマット供給装置及び方法を提供することにある。
【課題を解決するための手段】
【０００６】
本発明は、多数枚のガラスマットを上下方向に積層したガラスマットストッカと、該ストッカの下部に配置されて前後方向の往復運動をしてその前進運動時に最下層の前記ガラスマットを前記ストッカから供給方向に運び出すスライダと、前記ストッカのガラスマット供給側に隣接して配置されたゲートとを備えた鉛蓄電池用ガラスマット供給装置を対象とする。
【０００７】
本発明に係る鉛蓄電池用ガラスマット供給装置では、
前記スライダはその上面に前記ガラスマットの供給方向に傾けて稙毛された植毛層が前記ストッカ中の最下層の前記ガラスマットの下面に接触するように固定され、
前記ゲートには前記ガラスマットの供給方向とは逆方向に回転するゲートローラが配置され、前記ゲートローラの周面には前記ガラスマットの供給方向と逆方向に傾けて植毛された植毛層が固定され、前記ゲートローラはその周面の前記植毛層の表面が前記ガラスマットの上面に接触するように配置されていることを特徴とする。
【０００８】
また本発明は、多数枚のガラスマットを上下方向に積層したガラスマットストッカと、該ストッカの下部に配置されて前後方向の往復運動をしてその前進運動時に最下層の前記ガラスマットを前記ストッカから供給方向に運び出すスライダと、前記ストッカのガラスマット供給側に隣接して配置されたゲートとを備えた鉛蓄電池用ガラスマット供給装置を用いてガラスマットを供給する鉛蓄電池用ガラスマット供給方法を対象とする。
【０００９】
本発明に係る鉛蓄電池用ガラスマットの供給方法は、
前記鉛蓄電池用ガラスマット供給装置は、前記スライダの上面に前記ガラスマットの供給方向に傾けて稙毛された植毛層が前記ストッカ中の最下層の前記ガラスマットの下面に接触するように固定され、前記ゲートには前記ガラスマットの供給方向とは逆方向に回転するゲートローラが配置され、前記ゲートローラの周面には前記ガラスマットの供給方向と逆方向に傾けて植毛された植毛層が固定され、前記ゲートローラはその周面の前記植毛層の表面が前記ガラスマットの上面に接触するように配置された構成になっており、
前記ゲートローラを所定のトルクで前記ガラスマットの供給方向と逆方向に回転し、前記トルクを前記スライダの前進運動時の前記ガラスマットと前記ゲートローラの摩擦力より小さく設定して前記ガラスマットの供給を行うことを特徴とする。
【発明の効果】
【００１０】
本発明に係る鉛蓄電池用ガラスマット供給装置では、スライダの上面にガラスマットの供給方向に傾けて稙毛された植毛層がストッカ中の最下層のガラスマットの下面に接触するように固定されているので、スライダの前進運動時に最下層のガラスマットとの接触摩擦が大きくなって確実に最下層のガラスマットを前進移動させることができる。また、ゲートにはガラスマットの供給方向とは逆方向に回転するゲートローラが配置されていて、該ゲートローラの周面にはガラスマットの供給方向と逆方向に傾けて植毛された植毛層が固定され、ゲートローラはその周面の植毛層の表面がガラスマットの上面に接触するように配置されているので、該ゲートローラのガラスマットの供給方向とは逆方向の回転と、その周面のガラスマットの供給方向と逆方向に傾けて植毛された植毛層とにより、スライダで送られるガラスマットの上面に該ガラスマットを逆向きに戻そうとする力を与えることができる。このため、植毛層付きスライダと植毛層付きで逆回転するゲートローラとの相互作用によりガラスマットの１枚送りを確実に行わせることができる。従って、本発明によれば、複数枚のガラスマットの供給を防止でき、後工程へ安定してガラスマットを供給でき、それに伴って品質向上や稼動向上等を図ることができる。また、複数機種による調整が必要な場合は、ゲートを補助的に使用するのが最良の形態と考えられる。
【００１１】
また本発明に係る鉛蓄電池用ガラスマット供給方法では、ガラスマットの供給方向に傾けて稙毛された植毛層付きスライダと、ガラスマットの供給方向と逆方向に傾けて植毛された植毛層付きゲートローラとを用い、該ゲートローラを所定のトルクでガラスマットの供給方向と逆方向に回転し、トルクを前記スライダの前進運動時のガラスマットとゲートローラの摩擦力より小さく設定してガラスマットの供給を行うので、ゲートローラによるガラスマットの供給方向と逆方向の送り力が、スライダによるガラスマットの供給方向の送り力より小さくなって、正しくガラスマットの１枚送りを行わせることができる。
【発明を実施するための最良の形態】
【００１２】
以下、本発明の鉛蓄電池用ガラスマット供給装置及び方法を実施するための最良の形態の一例を、図１乃至図４を参照して詳細に説明する。ここで、図１は本例の鉛蓄電池用ガラスマット供給装置の側面図、図２は図１のＢ部の拡大図、図３は本例で用いるスライダの側面図、図４は本例で用いるゲートローラの要部側面図である。なお、前述した図５と対応する部分には、同一符号を付けて示している。
【００１３】
本例の鉛蓄電池用ガラスマット供給装置では、スライダ３はその上面にガラスマット１の供給方向Ｘ２に傾けて稙毛５ａされた植毛層５がストッカ２中の最下層のガラスマット１の下面に接触するように固定されている。この植毛層５は、本例では綿布に植毛５ａして形成されている。
【００１４】
ゲート４には、ガラスマット１の供給方向Ｘ２とは逆方向Ｘ２´に回転するゲートローラ６が配置されている。このゲートローラ６の周面には、ガラスマット１の供給方向Ｘ２と逆方向Ｘ２´に植毛７ａされた植毛層７が固定されている。この植毛層７も、本例では綿布に植毛７ａして形成されている。このようなゲートローラ６は、その周面の植毛層７の表面がガラスマット１の上面に接触するように配置されている。
【００１５】
このような鉛蓄電池用ガラスマット供給装置を用いての本例の鉛蓄電池用ガラスマット供給方法は、前述した植毛層７付きのゲートローラ６を所定のトルクＴでガラスマット１の供給方向Ｘ２と逆方向Ｘ２´に回転し、このときのトルクＴをスライダ３の前進運動時のガラスマット１とゲートローラ６の摩擦力Ｆ２より小さく設定してガラスマット１の供給を行う。なお、Ｆ１はガラスマット１とスライダ３間の摩擦力である。
【００１６】
本例の鉛蓄電池用ガラスマット供給装置では、スライダ３の上面にガラスマット１の供給方向に傾けて稙毛５ａされた植毛層５がストッカ２中の最下層のガラスマット１の下面に接触するように固定されているので、スライダ３の前進運動時に最下層のガラスマット１との接触摩擦が大きくなって確実に最下層のガラスマット１を前進移動させることができる。また、ゲート４にはガラスマット１の供給方向Ｘ２とは逆方向Ｘ２´に回転するゲートローラ６が配置されていて、該ゲートローラ６の周面にはガラスマット１の供給方向Ｘ２と逆方向Ｘ２´に植毛７ａされた植毛層７が固定され、ゲートローラ６はその周面の植毛層７の表面がガラスマット１の上面に接触するように配置されているので、該ゲートローラ６のガラスマット１の供給方向Ｘ２とは逆方向Ｘ２´の回転と、その周面のガラスマット１の供給方向Ｘ２と逆方向Ｘ２´に植毛７ａされた植毛層７とにより、スライダ３で送られるガラスマット１の上面に該ガラスマット１を逆向きに戻そうとする力を与えることができる。このため、植毛層５付きスライダ３と植毛層７付きで逆回転するゲートローラ６との相互作用によりガラスマット１の１枚送りを確実に行わせることができる。従って、本発明によれば、複数枚のガラスマット１の供給を防止でき、後工程へ安定してガラスマット１を供給でき、それに伴って品質向上や稼動向上等を図ることができる。また、複数機種による調整が必要な場合は、ゲート４を補助的に使用するのが最良の形態と考えられる。
【００１７】
また本例の鉛蓄電池用ガラスマット供給方法では、ガラスマット１の供給方向Ｘ２に傾けて稙毛５ａされた植毛層５付きスライダ３と、ガラスマット１の供給方向Ｘ２と逆方向Ｘ２´に植毛７ａされた植毛層７付きゲートローラ６とを用い、該ゲートローラ６を所定のトルクＴでガラスマット１の供給方向Ｘ２と逆方向Ｘ２´に回転し、トルクＴをスライダ３の前進運動時のガラスマット１とゲートローラ６の摩擦力Ｆ２より小さく設定してガラスマット１の供給を行うので、ゲートローラ６によるガラスマット１の供給方向と逆方向の送り力が、スライダ３によるガラスマット１の供給方向の送り力より小さくなって、正しくガラスマット１の１枚送りを行わせることができる。
【図面の簡単な説明】
【００１８】
【図１】本発明に係る鉛蓄電池用ガラスマット供給装置の一例の側面図である。
【図２】図１のＢ部の拡大図である。
【図３】本例で用いるスライダの側面図である。
【図４】本例で用いるゲートローラの要部側面図である。
【図５】従来の鉛蓄電池用ガラスマット供給装置の側面図である。
【図６】図５のＡ部のゲートの各状態の説明図である。
【符号の説明】
【００１９】
１  ガラスマット
２  ガラスマットストッカ
３  スライダ
３ａ  段部付き凹部
４  ゲート
５ａ  稙毛
５  植毛層
６  ゲートローラ
７ａ  植毛
７  植毛層
【図１】
2005276553.tif 000003
【図２】
2005276553.tif 000004
【図３】
2005276553.tif 000005
【図４】
2005276553.tif 000006
【図５】
2005276553.tif 000007
【図６】
2005276553.tif 000008